(57)【要約】【課題】開いているときと閉じているときの両使用形態において良好なアンテナ特性を得ることができる携帯無線機を提供すること。  【解決手段】  第一のスイッチ２０は、筐体が開かれた状態では、第二のアンテナ１７と下部基板１５の基板端のグランド２１とを接続する第一の状態に切り替わり、筐体が閉じられた状態では、第二のアンテナ１７と第二の給電部１９とを接続する第二の状態に切り替わる。これにより、第二のアンテナ１７は、筐体が開かれた状態では、下部基板１５のグランド延長エレメントとして動作し、筐体が閉じられた状態では、アンテナとして動作する。【選択図】図１
2007104468.tif 000002
【特許請求の範囲】
【請求項１】
第一の筐体と、第二の筐体とを備え、前記第一の筐体は、第一のアンテナ素子を有し、前記第二の筐体は、第二のアンテナ素子と、グランドパターンと、給電部と、スイッチ回路とを設けられた回路基板を有し、前記スイッチ回路は、前記第一の筐体と第二の筐体が開かれた状態では、前記第二のアンテナ素子をグランドと接続し、前記第一の筐体と第二の筐体が閉じられた状態では、前記第二のアンテナ素子を前記給電部に接続することを特徴とする携帯無線機。
【請求項２】
前記回路基板上に複数のグランド接続位置を設け、前記スイッチ回路は、前記第一の筐体と第二の筐体が開かれた状態で、前記複数のグランド接続位置から前記第二のアンテナ素子を接続するグランド接続位置を選択することを特徴とする請求項１に記載の携帯無線機。
【請求項３】
第一の筐体と、第二の筐体とを備え、前記第一の筐体と第二の筐体は連結部を介して接続され、前記第一の筐体は、第一のアンテナ素子を有し、前記第二の筐体は、第二のアンテナ素子と、グランドパターンと、前記第一のアンテナ素子に給電する第一の給電部と、前記第二のアンテナ素子に給電する第二の給電部と、スイッチ回路とを設けられた回路基板を有し、前記スイッチ回路は、前記第一の筐体と第二の筐体が開かれた状態では、前記第二のアンテナ素子をグランドと接続し、前記第一の筐体と第二の筐体が閉じられた状態では、前記第二のアンテナ素子を前記第二の給電部に接続することを特徴とする携帯無線機。
【請求項４】
第一の筐体と、第二の筐体とを備え、前記第一の筐体と第二の筐体は連結部を介して接続され、前記第一の筐体は、第一のアンテナ素子を有し、前記第二の筐体は、第二のアンテナ素子と、グランドパターンと、給電部と、第一のスイッチ回路と、第二のスイッチ回路とを設けられた回路基板を有し、前記第一のスイッチ回路は、前記第一の筐体と第二の筐体が開かれた状態では、前記第一のアンテナ素子と前記給電部とを接続し、前記第一の筐体と第二の筐体が閉じられた状態では、前記第二のスイッチ回路と前記給電部とを接続し、前記第二のスイッチ回路は、前記第一の筐体と第二の筐体が開かれた状態では、前記第二のアンテナ素子をグランドと接続し、前記第一の筐体と第二の筐体が閉じられた状態では、前記第二のアンテナ素子と前記第一のスイッチ回路を接続することを特徴とする携帯無線機。
【請求項５】
第一の筐体と、第二の筐体とを備え、前記第一の筐体と第二の筐体は連結部を介して接続され、前記第一の筐体は、第一のアンテナ素子を有し、前記第二の筐体は、第二のアンテナ素子と、グランドパターンと、給電部と、第一のスイッチ回路と、第二のスイッチ回路とを設けられた回路基板を有し、前記第二のアンテナ素子は前記回路基板の端に配置され、前記第二のスイッチ回路に接続されるグランド位置は前記第二のアンテナ素子が配置された前記回路基板の端よりも前記連結部に近い箇所とし、前記第一のスイッチ回路は、前記第一の筐体と第二の筐体が開かれた状態では、前記第一のアンテナ素子と前記給電部とを接続し、前記第一の筐体と第二の筐体が閉じられた状態では、前記第二のスイッチ回路と前記給電部とを接続し、前記第二のスイッチ回路は、前記第一の筐体と第二の筐体が開かれた状態では、前記第二のアンテナ素子を前記グランドと接続し、前記第一の筐体と第二の筐体が閉じられた状態では、前記第二のアンテナ素子と前記第一のスイッチ回路を接続することを特徴とする携帯無線機。
【請求項６】
前記グランドと前記スイッチ回路との間にリアクタンス素子を接続したことを特徴とする請求項１から請求項５までのいずれかに記載の携帯無線機。
【発明の詳細な説明】
【技術分野】
【０００１】
本発明は、上部筐体と下部筐体を連結して開閉自在な機構を有した携帯無線機に関するものである。
【背景技術】
【０００２】
近年、携帯電話に代表される携帯無線機の普及は目覚ましく、特に小型軽量で携帯容易性に優れたものが好まれている。このようなニーズに対し、一般に上部筐体と下部筐体をヒンジ部で連結することにより開閉自在な機構を有した折りたたみ式携帯無線機が提供されている。
【０００３】
この折りたたみ式携帯無線機は、開いた状態と閉じた状態の二つの使用形態を持ち、開いて使用するときは、閲覧する表示画面を大型化できるといった利便性があり、閉じて使用するときは、コンパクトな形状となり携帯容易性に優れているという利便性がある。
【０００４】
携帯無線機には、電波の送受信を行うためにアンテナ装置が搭載されており、基地局または他の無線機との送受信を行っている。
【０００５】
折りたたみ式携帯無線機の場合、開いて使用するときに通話または情報通信などを行うため基地局または他の無線機との送受信を行っているだけでなく、閉じた状態でも着信を待ち受けるために基地局または他の無線機との送受信を行っている。このため、開いているときと閉じているときの両使用時において良好なアンテナ特性が望まれる。
【０００６】
折りたたみ式携帯無線機のアンテナ構成の代表的な方式として、上部筐体内部にアンテナ素子を配置して、ヒンジ部を通した給電線を介してこのアンテナ素子に給電することで、アンテナ素子と下部筐体内部に配置したグランドパターンを有する回路基板とがダイポールアンテナとして動作する構成が知られている。
【０００７】
図１５及び図１６に示す従来の折りたたみ式携帯無線機のアンテナ構成では、上部筐体８１内に配置されたアンテナ素子８２と、アンテナ素子８２に電気的に接続され導電性金属で構成されたヒンジ部８３と、ヒンジ部８３に電気的に接続された給電用素子８４とを有する上側素子８７と、下部筐体８５内のヒンジ部８３と所定の距離を隔てて配置されたグランドパターンを有する回路基板８６とでダイポールアンテナを構成しており、筐体が開かれた状態において高いアンテナ特性が得られるものである。なお、図１５は開いた状態の正面透視図であり、図１６は閉じた状態の下部筐体の正面透視図である。
【０００８】
一般に携帯無線機のアンテナ特性は携帯無線機の回路基板の長さに大きく影響され、使用する周波数帯の波長に応じた回路基板の長さが必要となるため、筐体の小型化はアンテナ特性を劣化させる要因となる。
【０００９】
これに対して、基板長を延長するための技術として、基板にスリットを設ける方法（例えば、特許文献１参照）や、基板端にグランド接続した板金を設ける方法（例えば、特許文献２参照）が既に知られている。
【特許文献１】特開２００２−７６６１４号公報
【特許文献２】特表２００２−５１２４６３号公報
【発明の開示】
【発明が解決しようとする課題】
【００１０】
しかしながら、従来の携帯無線機においては、筐体が開かれた状態でアンテナ素子８２と回路基板８６のグランドパターンをダイポールアンテナとして動作させるため、携帯無線機の長手方向を小型化した場合、筐体を開いたときのアンテナ素子８２と回路基板８６の全長が、使用する周波数の波長に応じた長さを確保することが困難になり、アンテナ特性が劣化してしまうという課題があった。
【００１１】
また、筐体が閉じられた状態では、アンテナ素子８２と回路基板８６のグランドパターンに流れる電流が逆相になり、アンテナ特性が劣化してしまうという課題があった。
【００１２】
本発明は、開いているときと閉じているときの両使用形態において良好なアンテナ特性を得ることができる携帯無線機を提供することを目的とする。
【課題を解決するための手段】
【００１３】
本発明の携帯無線機は、第一の筐体と、第二の筐体とを備え、前記第一の筐体は、第一のアンテナ素子を有し、前記第二の筐体は、第二のアンテナ素子と、グランドパターンと、給電部と、スイッチ回路とを設けられた回路基板を有し、前記スイッチ回路は、前記第一の筐体と第二の筐体が開かれた状態では、前記第二のアンテナ素子をグランドと接続し、前記第一の筐体と第二の筐体が閉じられた状態では、前記第二のアンテナ素子を前記給電部に接続する構成を有している。
【００１４】
この構成により、筐体が開かれた状態では、第二のアンテナ素子は、回路基板のグランド延長エレメントとして動作し、筐体が閉じられた状態では、アンテナとして動作する。
【００１５】
ここで、前記回路基板上に複数のグランド接続位置を設け、前記スイッチ回路は、前記第一の筐体と第二の筐体が開かれた状態で、前記複数のグランド接続位置から前記第二のアンテナ素子を接続するグランド接続位置を選択する構成とした。
【００１６】
この構成により、筐体が開かれた状態において、第一のアンテナ素子のアンテナ特性が最も良くなるようにグランド接続位置を選択すれば、筐体が開かれた状態で良好なアンテナ特性を得ることができる。
【００１７】
本発明の携帯無線機は、第一の筐体と、第二の筐体とを備え、前記第一の筐体と第二の筐体は連結部を介して接続され、前記第一の筐体は、第一のアンテナ素子を有し、前記第二の筐体は、第二のアンテナ素子と、グランドパターンと、前記第一のアンテナ素子に給電する第一の給電部と、前記第二のアンテナ素子に給電する第二の給電部と、スイッチ回路とを設けられた回路基板を有し、前記スイッチ回路は、前記第一の筐体と第二の筐体が開かれた状態では、前記第二のアンテナ素子をグランドと接続し、前記第一の筐体と第二の筐体が閉じられた状態では、前記第二のアンテナ素子を前記第二の給電部に接続する構成を有している。
【００１８】
この構成により、筐体が開かれた状態では、第二のアンテナ素子は、回路基板のグランド延長エレメントとして動作し、筐体が閉じられた状態では、アンテナとして動作する。
【００１９】
本発明の携帯無線機は、第一の筐体と、第二の筐体とを備え、前記第一の筐体と第二の筐体は連結部を介して接続され、前記第一の筐体は、第一のアンテナ素子を有し、前記第二の筐体は、第二のアンテナ素子と、グランドパターンと、給電部と、第一のスイッチ回路と、第二のスイッチ回路とを設けられた回路基板を有し、前記第一のスイッチ回路は、前記第一の筐体と第二の筐体が開かれた状態では、前記第一のアンテナ素子と前記給電部とを接続し、前記第一の筐体と第二の筐体が閉じられた状態では、前記第二のスイッチ回路と前記給電部とを接続し、前記第二のスイッチ回路は、前記第一の筐体と第二の筐体が開かれた状態では、前記第二のアンテナ素子をグランドと接続し、前記第一の筐体と第二の筐体が閉じられた状態では、前記第二のアンテナ素子と前記第一のスイッチ回路を接続する構成を有している。
【００２０】
この構成により、筐体が開かれた状態では、第二のアンテナ素子は、回路基板のグランド延長エレメントとして動作し、筐体が閉じられた状態では、アンテナとして動作するとともに、給電部を削減することができる。
【００２１】
本発明の携帯無線機は、第一の筐体と、第二の筐体とを備え、前記第一の筐体と第二の筐体は連結部を介して接続され、前記第一の筐体は、第一のアンテナ素子を有し、前記第二の筐体は、第二のアンテナ素子と、グランドパターンと、給電部と、第一のスイッチ回路と、第二のスイッチ回路とを設けられた回路基板を有し、前記第二のアンテナ素子は前記回路基板の端に配置され、前記第二のスイッチ回路に接続されるグランド位置は前記第二のアンテナ素子が配置された前記回路基板の端よりも前記連結部に近い箇所とし、前記第一のスイッチ回路は、前記第一の筐体と第二の筐体が開かれた状態では、前記第一のアンテナ素子と前記給電部とを接続し、前記第一の筐体と第二の筐体が閉じられた状態では、前記第二のスイッチ回路と前記給電部とを接続し、前記第二のスイッチ回路は、前記第一の筐体と第二の筐体が開かれた状態では、前記第二のアンテナ素子を前記グランドと接続し、前記第一の筐体と第二の筐体が閉じられた状態では、前記第二のアンテナ素子と前記第一のスイッチ回路を接続する構成を有している。
【００２２】
この構成により、筐体が開かれた状態では、第二のアンテナ素子は、回路基板のグランド延長エレメントとして動作し、筐体が閉じられた状態では、アンテナとして動作するとともに、筐体が開かれた状態で、安定して回路基板の基板長を延長させることができる。
【００２３】
ここで、前記グランドと前記スイッチ回路との間にリアクタンス素子を接続した構成とした。
【００２４】
この構成により、リアクタンス素子により回路基板の基板長の延長量を調整することができる。
【発明の効果】
【００２５】
本発明によれば、筐体の開閉状態により第二のアンテナ素子の接続を切り替えることにより、開いているときと閉じているときの両使用形態において良好なアンテナ特性を得ることができる。
【発明を実施するための最良の形態】
【００２６】
以下、本発明の実施の形態について、図面を参照して説明する。
【００２７】
（第１の実施の形態）
図１及び図２は本発明の第１の実施の形態の携帯無線機を示す図であり、図１は開いた状態の正面透視図であり、図２は閉じた状態の下筐体の正面透視図である。
【００２８】
図１及び図２において、本実施の形態の携帯無線機は、上筐体１２と下筐体１３が、金属で構成された回動機構を有するヒンジ部１１により接合され、折りたたみによる開閉が可能となっている。
【００２９】
上筐体１２内部には、上部基板１４と第一のアンテナ１６を有し、第一のアンテナ１６とヒンジ部１１は電気的に容量結合またはＤＣ結合により接続されている。
【００３０】
下筐体１３内部には、グランドパターンを有する下部基板１５を有し、ヒンジ部１１と下部基板１５は所定の間隔を隔てて配置されている。
【００３１】
下部基板１５は、下部基板１５上のヒンジ部１１側に設けられた第一の給電部１８と、下部基板１５上の基板端に設けられた第二の給電部１９と、下部基板１５上の基板端に筐体の開閉状態により接続状態を第一の状態と第二の状態とに切り替える三端子の第一のスイッチ２０とを有し、下部基板１５の基板端には第二のアンテナ１７が設けられている。
【００３２】
第二のアンテナ１７と第二の給電部１９と下部基板１５の基板端のグランド２１は、それぞれ第一のスイッチ２０の端子に接続されている。
【００３３】
第一の給電部１８は、ヒンジ部１１を介して第一のアンテナ１６と接続され、第一のアンテナ１６、ヒンジ部１１及び下部基板１５のグランドパターンがダイポールアンテナとして動作する。
【００３４】
上筐体１２と下筐体１３によって構成される筐体の全長は、開いたときは長さ２００ｍｍ、幅４５ｍｍ程度の大きさであり、閉じたときは長さ１００ｍｍ、幅４５ｍｍ程度の大きさである。
【００３５】
また、上部基板１４、下部基板１５は、例えば厚さ１ｍｍ程度のプリント基板で構成され、その寸法は長さ９０ｍｍ、幅４０ｍｍ程度の大きさである。
【００３６】
また、上筐体１２を導電物質、例えばマグネシウム合金で構成することにより、第一のアンテナ１６として動作させることも可能である。
【００３７】
第二のアンテナ１７は、導電性が高い導電物質、例えば銅箔で構成され、全長が４０ｍｍ、幅２ｍｍ程度である。携帯無線機を小型化するためにＬ型形状としており、第二のアンテナ１７の長さは、無線通信に利用する周波数において、筐体が閉じられたときに最良のアンテナ特性（少なくとも、第一のアンテナ素子のアンテナ特性より良いアンテナ特性）を有する長さになっている。
【００３８】
第一のスイッチ２０は、筐体が開かれた状態では、第二のアンテナ１７と下部基板１５の基板端のグランド２１とを接続する第一の状態に切り替わり、筐体が閉じられた状態では、第二のアンテナ１７と第二の給電部１９とを接続する第二の状態に切り替わる。
【００３９】
このことにより、筐体が開かれた状態では、第二のアンテナ１７は、下部基板１５のグランド延長エレメントとして動作し、第一のアンテナ１６、ヒンジ部１１及び下部基板１５のグランドパターンで構成されるダイポールアンテナのアンテナ特性を改善する。
【００４０】
筐体が閉じられた状態では、第二のアンテナ１７はアンテナとして動作し、筐体が閉じられた状態での第一のアンテナ１６、ヒンジ部１１及び下部基板１５のグランドパターンで構成されるダイポールアンテナのアンテナ特性よりも良好なアンテナ特性を得ることができる。
【００４１】
（第２の実施の形態）
次に、図３及び図４は本発明の第２の実施の形態の携帯無線機を示す図であり、図３は開いた状態の正面透視図であり、図４は閉じた状態の下筐体の正面透視図である。なお、本実施の形態は、上述の第１の実施の形態と略同様に構成されているので、同様な構成には同一の符号を付して特徴部分のみ説明する。
【００４２】
本実施の形態の携帯無線機は、給電部を下部基板１５上のヒンジ部１１側に設けられた給電部３１の一つにし、給電部３１付近に給電部３１の接続を第一のアンテナ１６側と第二のアンテナ１７側とに切り替える第二のスイッチ３２を設け、さらに第二のスイッチ３２と第一のスイッチ２０を接続する高周波的に通過ロスの小さい給電ライン３３（例えば、同軸ケーブル）を設けている。
【００４３】
筐体が開かれた状態では、第一のスイッチ２０は、第二のアンテナ１７と下部基板１５の基板端のグランド２１とを接続し、第二のスイッチ３２は、給電部３１をヒンジ部１１を介して第一のアンテナ１６に接続する。
【００４４】
筐体が閉じられた状態では、第一のスイッチ２０は、第二のアンテナ１７と給電ライン３３とを接続し、第二のスイッチ３２は、給電部３１を給電ライン３３に接続するので、給電部３１は、第二のスイッチ３２、給電ライン３３、第一のスイッチ２０を介して第二のアンテナ１７に接続される。
【００４５】
このように、筐体の開閉状態により、給電部３１の接続が、第一のアンテナ１６と第二のアンテナ１７に切り替えられるので、給電部の数量を削減することができる。
【００４６】
（第３の実施の形態）
次に、図５及び図６は本発明の第３の実施の形態の携帯無線機を示す図であり、図５は開いた状態の正面透視図であり、図６は閉じた状態の下筐体の正面透視図である。なお、本実施の形態は、上述の第２の実施の形態と略同様に構成されているので、同様な構成には同一の符号を付して特徴部分のみ説明する。
【００４７】
本実施の形態の携帯無線機は、第一のスイッチ２０に代わり第三のスイッチ４１を第二のスイッチ３２に隣接した位置に配置し、第三のスイッチ４１の一端子と第二のスイッチ３２の一端子を接続し、さらに第三のスイッチ４１の一端子を給電ライン３３を介して第二のアンテナ１７に接続するようになっている。
【００４８】
筐体が開かれた状態では、第二のスイッチ３２は、給電部３１をヒンジ部１１を介して第一のアンテナ１６に接続し、第三のスイッチ４１は、第二のアンテナ１７が接続された給電ライン３３をヒンジ側のグランド４２に接続する。
【００４９】
筐体が閉じられた状態では、第二のスイッチ３２は、給電部３１を第三のスイッチ４１の端子に接続し、第三のスイッチ４１は、第二のアンテナ１７が接続された給電ライン３３を給電部３１が接続された端子に接続する。
【００５０】
このように、筐体が開かれた状態で、第二のアンテナ１７と接続するグランドを、下部基板１５上のヒンジ側のグランド４２に接続しているので、下部基板１５上の基板端のグランド２１の状態が下部基板１５上のヒンジ側のグランド４２のグランド状態よりも不安定な場合でも、安定して下部基板１５の基板長を延長させることができる。
【００５１】
（第４の実施の形態）
次に、図７及び図８は本発明の第４の実施の形態の携帯無線機を示す図であり、図７は開いた状態の正面透視図であり、図８は閉じた状態の下筐体の正面透視図である。なお、本実施の形態は、上述の第２、第３の実施の形態と略同様に構成されているので、同様な構成には同一の符号を付して特徴部分のみ説明する。
【００５２】
本実施の形態の携帯無線機は、給電ライン３３の両端に第一のスイッチ２０と第三のスイッチ４１を接続し、第一のアンテナ１６のアンテナ性能を観測する図示しないセンサーが設けられている。
【００５３】
筐体が開かれた状態では、第二のスイッチ３２は、給電部３１をヒンジ部１１を介して第一のアンテナ１６に接続し、第三のスイッチ４１は、給電ライン３３をヒンジ側のグランド４２に接続する。そして、第一のスイッチ２０は、センサーの観測結果により、第二のアンテナ１７のグランド接続状態を、下部基板１５上の基板端のグランド２１または下部基板１５上のヒンジ側のグランド４２の、第一のアンテナ１６のアンテナ性能がいいほうに切り替える。
【００５４】
筐体が閉じられた状態では、第二のスイッチ３２は、給電部３１を第三のスイッチ４１の一端子に接続し、第三のスイッチ４１は、給電ライン３３を給電部３１が接続された端子に接続し、第一のスイッチ２０は、第二のアンテナ１７を給電ライン３３に接続する。
【００５５】
このように、筐体が開かれた状態で、第二のアンテナのグランド接続状態を、第一のアンテナ特性のいいほうに切り替えているので、筐体が開かれたときに最良のアンテナ特性を提供することができる。
【００５６】
（第５の実施の形態）
次に、図９及び図１０は本発明の第５の実施の形態の携帯無線機を示す図であり、図９は開いた状態の正面透視図であり、図１０は閉じた状態の下筐体の正面透視図である。なお、本実施の形態は、上述の第１の実施の形態と略同様に構成されているので、同様な構成には同一の符号を付して特徴部分のみ説明する。
【００５７】
本実施の形態の携帯無線機は、第一のスイッチ２０と下部基板１５上の基板端のグランド２１との間にリアクタンス素子５１を接続している。リアクタンス素子５１は、例えば延長コイルで構成される。
【００５８】
筐体が開かれた状態では、第一のスイッチ２０は、第二のアンテナ１７をリアクタンス素子５１を介して下部基板１５の基板端のグランド２１に電気的に接続し、第二のアンテナ１７およびリアクタンス素子５１は、下部基板１５の基板長の延長用エレメントとして動作する。
【００５９】
このように、第二のアンテナ１７だけでは下部基板１５の基板長の延長量が足りない場合でも、リアクタンス素子５１により下部基板１５の基板長の延長量を調整することができ、筐体が開かれたときの第一のアンテナ１６のアンテナ特性を向上させることができる。
【００６０】
なお、リアクタンス素子５１は、他のインピーダンスを持った素子でもよい。
【００６１】
（第６の実施の形態）
次に、図１１及び図１２は本発明の第６の実施の形態の携帯無線機を示す図であり、図１１は開いた状態の正面透視図であり、図１２は閉じた状態の下筐体の正面透視図である。なお、本実施の形態は、上述の第１の実施の形態と略同様に構成されているので、同様な構成には同一の符号を付して特徴部分のみ説明する。
【００６２】
本実施の形態の携帯無線機は、上筐体１２と下筐体１３とが回転ヒンジ６１により接続されており、回転ヒンジ６１を中心に上筐体１２を回転させて筐体を開閉するようになっている。
【００６３】
筐体が閉じられた状態では、第一のスイッチ２０は、第二のアンテナ１７を第二の給電部１９に電気的に接続し、第二のアンテナ１７は、アンテナとして動作する。
【００６４】
筐体が開かれた状態では、第一のスイッチ２０は、第二のアンテナ１７を下部基板１５の基板端のグランド２１に電気的に接続し、第二のアンテナ１７は、下部基板１５の基板長の延長用エレメントとして動作し、開かれたときの第一のアンテナ１６の無線機能を向上させることができる。
【００６５】
（第７の実施の形態）
次に、図１３及び図１４は本発明の第７の実施の形態の携帯無線機を示す図であり、図１３は開いた状態の正面透視図であり、図１４は閉じた状態の下筐体の正面透視図である。なお、本実施の形態は、上述の第１の実施の形態と略同様に構成されているので、同様な構成には同一の符号を付して特徴部分のみ説明する。
【００６６】
本実施の形態の携帯無線機は、スライド機構７１により、上筐体１２と下筐体１３をスライドさせ、筐体を開閉するようになっている。
【００６７】
筐体が閉じられた状態では、第一のスイッチ２０は、第二のアンテナ１７を第二の給電部１９に電気的に接続し、第二のアンテナ１７は、アンテナとして動作する。
【００６８】
筐体が開かれた状態では、第一のスイッチ２０は、第二のアンテナ１７を下部基板１５の基板端のグランド２１に電気的に接続し、第二のアンテナ１７は、下部基板１５の基板長の延長用エレメントとして動作し、開かれたときの第一のアンテナ１６の無線機能を向上させることができる。
【産業上の利用可能性】
【００６９】
以上のように、本発明にかかる携帯無線機は、開いているときと閉じているときの両使用形態において良好なアンテナ特性を得ることができるという効果を有し、上部筐体と下部筐体を連結して開閉自在な機構を有した携帯無線機等として有用である。
【図面の簡単な説明】
【００７０】
【図１】本発明の第１の実施の形態における携帯無線機の開いた状態での正面透視図
【図２】本発明の第１の実施の形態における携帯無線機の閉じた状態での下筐体の正面透視図
【図３】本発明の第２の実施の形態における携帯無線機の開いた状態での正面透視図
【図４】本発明の第２の実施の形態における携帯無線機の閉じた状態での下筐体の正面透視図
【図５】本発明の第３の実施の形態における携帯無線機の開いた状態での正面透視図
【図６】本発明の第３の実施の形態における携帯無線機の閉じた状態での下筐体の正面透視図
【図７】本発明の第４の実施の形態における携帯無線機の開いた状態での正面透視図
【図８】本発明の第４の実施の形態における携帯無線機の閉じた状態での下筐体の正面透視図
【図９】本発明の第５の実施の形態における携帯無線機の開いた状態での正面透視図
【図１０】本発明の第５の実施の形態における携帯無線機の閉じた状態での下筐体の正面透視図
【図１１】本発明の第６の実施の形態における携帯無線機の開いた状態での正面透視図
【図１２】本発明の第６の実施の形態における携帯無線機の閉じた状態での下筐体の正面透視図
【図１３】本発明の第７の実施の形態における携帯無線機の開いた状態での正面透視図
【図１４】本発明の第７の実施の形態における携帯無線機の閉じた状態での下筐体の正面透視図
【図１５】従来の携帯無線機の開いた状態での正面透視図
【図１６】従来の携帯無線機の閉じた状態での下部筐体の正面透視図
【符号の説明】
【００７１】
１１  ヒンジ部
１２  上筐体
１３  下筐体
１４  上部基板
１５  下部基板
１６  第一のアンテナ
１７  第二のアンテナ
１８  第一の給電部
１９  第二の給電部
２０  第一のスイッチ
２１  グランド
３１  給電部
３２  第二のスイッチ
３３  給電ライン
４１  第三のスイッチ
４２  グランド
５１  リアクタンス素子
６１  回転ヒンジ
８１  上部筐体
８２  アンテナ素子
８３  ヒンジ部
８４  給電用素子
８５  下部筐体
８６  回路基板
８７  上側素子
【図１】
2007104468.tif 000003
【図２】
2007104468.tif 000004
【図３】
2007104468.tif 000005
【図４】
2007104468.tif 000006
【図５】
2007104468.tif 000007
【図６】
2007104468.tif 000008
【図７】
2007104468.tif 000009
【図８】
2007104468.tif 000010
【図９】
2007104468.tif 000011
【図１０】
2007104468.tif 000012
【図１１】
2007104468.tif 000013
【図１２】
2007104468.tif 000014
【図１３】
2007104468.tif 000015
【図１４】
2007104468.tif 000016
【図１５】
2007104468.tif 000017
【図１６】
2007104468.tif 000018